(57)【要約】  経年変化による性能劣化が少なく、またアセトン耐性に優れるため再調整が容易であるルーペ及びルーペユニットを提供する。  ユーザーの頭部に装着される眼鏡型保持具に接着され、前記ユーザーが対象物を拡大して視認可能なルーペは、前記眼鏡型保持具に形成された孔又は切欠に対して挿入され、ＵＶ接着剤を用いて接着される鏡筒と、前記鏡筒に保持されたレンズとを有しており、前記鏡筒の少なくとも前記ＵＶ接着剤が塗布される部位は、アセトン耐性を有しない樹脂から形成され、且つアセトン耐性を有する塗料で被覆されている。
2018066400.tif 000002
【特許請求の範囲】
【請求項１】
ユーザーの頭部に装着される眼鏡型保持具に接着され、前記ユーザーが対象物を拡大して視認可能なルーペであって、
前記眼鏡型保持具に形成された孔又は切欠に対して挿入され、ＵＶ接着剤を用いて接着される鏡筒と、前記鏡筒に保持されたレンズとを有しており、前記鏡筒の少なくとも前記ＵＶ接着剤が塗布される部位は、アセトン耐性を有しない樹脂から形成され、且つアセトン耐性を有する塗料で被覆されているルーペ。
【請求項２】
前記鏡筒は、ＰＣ又はＡＢＳを用いて形成されている請求項１に記載のルーペ。
【請求項３】
前記鏡筒の表面と、前記アセトン耐性を有する塗料との間に、二液型アクリルウレタン塗料が被覆されている請求項１又は２に記載のルーペ。
【請求項４】
請求項１〜３のいずれか一項に記載のルーペと、孔又は切欠を形成した透明板を備えた眼鏡型保持具とを有し、前記孔又は切欠に挿入された前記ルーペの鏡筒を、ＵＶ接着剤を用いて接着してなり、前記眼鏡型保持具をユーザーの頭部に装着したときに、前記ユーザーが前記ルーペを介して対象物を視認可能となっているルーペユニット。
【発明の詳細な説明】
【技術分野】
【０００１】
本発明は、ルーペ及びルーペユニットに関し、例えば医師等が好適に使用するルーペユニット及びルーペに関する。
【背景技術】
【０００２】
例えば医療分野において、ユーザーである外科医師や歯科医師（医師等）が、自ら手術を行う患部を光学的に拡大して視認するために、頭部に装着して用いる眼鏡型のルーペユニットが知られている。ところで、双眼用のルーペユニットの場合、左目用と右目用に個別にルーペを配置する必要があるが、そのためユーザーが所望する対象物までの距離で左右の視野が合うよう調整した後に、眼鏡型保持具に固定することが行われている。一般的な眼鏡型保持具は、視力矯正用の眼鏡に類似する形態を有しており、ユーザーの頭部に装着されるフレームと、このフレームのレンズに相当する位置に固定される透明な板（屈折作用を持たないことが多い）とからなる。【０００３】
通常、眼鏡型保持具とルーペとを固定する場合、透明な板にルーペの接眼部外径よりやや大きい孔を開け、ユーザーの目幅や患部としての対象物までの距離を考慮しつつ、ルーペを通して左右の視野が丁度合う角度になるように、左右のルーペを傾けて設置し、その後、孔とルーペの接眼部外周とをＵＶ接着剤にて接着する手法がとられている（特許文献１参照）。ＵＶ接着剤はＵＶ光を照射することで硬化するので、瞬間接着剤等に比べると調整に必要な時間を確保できるため、取扱性に優れる。
【先行技術文献】
【特許文献】
【０００４】
【特許文献１】米国特許第６２０１６４０号明細書
【発明の概要】
【発明が解決しようとする課題】
【０００５】
ルーペはユーザーの目幅や位置を予め計測し、その計測情報を元に各ユーザー向けにカスタムメイドで透明な板に挿入、角度調整され固定されるが、固定されたルーペの位置がすべてのユーザーに対して不具合なくできているわけではないという実情がある。実際はルーペを眼鏡型保持具に一旦接着した後に、ユーザーとなる医師等にルーペユニットを装着した上で左右の視野が合うか、否か等の確認を行っている。この確認を行った結果、ルーペ位置の再調整が必要となった場合、ルーペを取り外した後に、眼鏡レンズの孔とルーペとの接着に用いたＵＶ接着剤を綺麗に除去して、再調整後の接着の邪魔にならないようにしている。【０００６】
ここで、一旦固まったＵＶ接着剤を綺麗に除去するために、剥離剤としてのアセトンが使用されることが多い。しかるに、アセトンで拭き取ることでＵＶ接着剤を有効に除去できるが、樹脂によってはアセトンにより溶解される性質を持つものがある。よって、ルーペの鏡筒には、アセトンが付着しても溶解しにくい、いわゆるアセトン耐性がある材料を用いたいが、そのような材料は限られている。例えばＰＰＳ（ポリフェニレンサルファイド）やＰＢＴ（ポリブチレンテレフタレート）はアセトン耐性があるとされ、ルーペの鏡筒の材料として使用されることもある。【０００７】
しかし、ＰＰＳやＰＢＴは吸水性が高いという特性を持ち、それにより経年変化により寸法の変化が生じやすく、レンズの軸ずれなどを招いて性能劣化を生じさせる原因となり得る。特に医療現場で利用するルーペは、使用後に水で洗浄されて滅菌を行うのが原則であるから、そのような材料は特に医療用ルーペの鏡筒に用いるには不向きであるといえる。またＰＰＳやＰＢＴを金型で成形すると、方向によって収縮率が異なる、いわゆる異方性を有することから、精度良く成形することが困難であるという欠点を持つ。加えてＰＰＳの場合は、ＵＶ接着剤での接着力が弱く眼鏡への保持力が弱いという欠点もある。【０００８】
これに対し、例えばＰＣ（ポリカーボネート）などの場合、吸水性が低く、また異方性が小さいという利点があるので、特に医療用ルーペの鏡筒に使用したいという要請がある。ところが、一般的にＰＣはアセトン耐性が低いため、これを鏡筒の材料として用いると、ルーペの再調整の際、アセトンでＵＶ接着剤を剥がしたときに鏡筒の一部に溶解が生じてしまうという問題がある。同様な問題は、ルーペの鏡筒としてＡＢＳ（アクリロニトリル、ブタジエン、スチレン共重合合成樹脂）を用いた場合にも生じうる。【０００９】
本発明は、上述の課題を解決することを目的としたものであり、経年変化による性能劣化が少なく、またアセトン耐性に優れるため再調整が容易であるルーペ及びルーペユニットを提供することを目的とする。
【課題を解決するための手段】
【００１０】
本発明のルーペは、ユーザーの頭部に装着される眼鏡型保持具に接着され、前記ユーザーが対象物を拡大して視認可能なルーペであって、
前記眼鏡型保持具に形成された孔又は切欠に対して挿入され、ＵＶ接着剤を用いて接着される鏡筒と、前記鏡筒に保持されたレンズとを有しており、前記鏡筒の少なくとも前記ＵＶ接着剤が塗布される部位は、アセトン耐性を有しない樹脂から形成され、且つアセトン耐性を有する塗料で被覆されているものである。
【発明の効果】
【００１１】
本発明によれば、経年変化による性能劣化が少なく、またアセトン耐性に優れるため再調整が容易であるルーペ及びルーペユニットを提供することができる。
【図面の簡単な説明】
【００１２】
【図１】本実施の形態に係るルーペを眼鏡型保持具に取り付けてなるルーペユニットの外観斜視図である。
【図２】本実施の形態にかかるルーペ１００の光軸方向断面図である。
【図３】主固定筒１２１に、所定の塗料を塗布する工程を示す図である。
【図４】ルーペ１００の主固定筒１２１を眼鏡型保持具ＧＬの孔ＬＳａに挿入する状態を示す斜視図である。
【図５】眼鏡型保持具ＧＬの孔ＬＳａに挿入した主固定筒１２１にＵＶ接着剤ＢＤを塗布する工程を示す断面図である。
【図６】図５の矢印VIで示す部位を拡大して示す図である。
【図７】眼鏡型保持具ＧＬの孔ＬＳａに挿入した主固定筒１２１に塗布したＵＶ接着剤ＢＤを固化する工程を示す断面図である。
【発明を実施するための形態】
【００１３】
以下、本発明の実施の形態を、図面を参照して説明する。図１は、本実施の形態に係る
ルーペを眼鏡型保持具に取り付けてなるルーペユニットの外観斜視図である。
【００１４】
図１に示す様に、２つのルーペ１００が、眼鏡型保持具ＧＬの透明板ＬＳにそれぞれ取り付けられている。透明板ＬＳは、眼鏡のレンズに相当する位置に設けられ、且つレンズと同様な外形を有しているが、屈折力の有無は問わない。手術の際に、医師等が眼鏡型保持具ＧＬを自分の顔に装着したときに、各ルーペ１００が瞳の前方に位置するようになり、これにより患部を拡大して観察することが可能になる。尚、２つのルーペ１００は同一の構成であるので、以下、１つのルーペ１００についてのみ説明を行う。
【００１５】
図２は、本実施の形態にかかるルーペ１００の光軸方向断面図である。ルーペ１００は、回転筒１１０と、固定ユニット１２０とを有している。回転筒１１０と固定ユニット１２０とで鏡筒を構成する。図において、薄肉金属製の回転筒１１０は、大円筒部１１０ａと、これに内包される小円筒部１１０ｂと、大円筒部１１０ａと小円筒部１１０ｂの端部同士を連結するテーパー部１１０ｃとから一体的に形成されている。小円筒部１１０ｂ内には、第１レンズ群Ｇ１を構成するレンズＬ１，Ｌ２が配置され、環状の固定部材１１１により小円筒部１１０ｂに対して固定されている。尚、最も被写体側のレンズＬ１の周囲にはＯ−リングＯＲが配置され、小円筒部１１０ｂとの間を防塵・防水可能に密封している。
【００１６】
固定ユニット１２０は、主固定筒１２１と、主固定筒１２１の被写体側に連結されたプリズム保持筒１２２と、主固定筒１２１の内側に配置されたカム筒１２３と、主固定筒１２１の外側に配置された操作環１２４とを有する。
【００１７】
略円筒状のプリズム保持筒１２２は、正立像を確保する為のケプラータイプのプリズムＰＲと、レンズＬ３とを保持する保持枠１２５を，ボルトＢＴにより内側に固定している。プリズムＰＲとレンズＬ３とで、第２レンズ群Ｇ２を構成する。プリズム保持筒１２２の外周には、螺旋溝１２２ａが形成されており、不図示の調節部材の先端が当接している。
【００１８】
カム筒１２３の内側には、第３レンズ群Ｇ３であるレンズＬ４を保持した保持枠１２６と、第４レンズ群Ｇ４であるレンズＬ５を保持した保持枠１２７とが光軸方向に変位可能に配置されている。又、カム筒１２３は、周方向に延在する２つのカム溝１２３ａ、１２３ｂを有すると共に、カム溝１２３ａに沿って所定間隔で円形開口１２３ｃを有している。
【００１９】
保持枠１２６の外周に形成された３つ（１つのみ図示）のねじ孔１２６ａに、フランジ付きの円筒軸１２８ａを持つねじ１２８の端部がそれぞれねじ込まれており、円筒軸１２８ａに回転可能に嵌合したローラー１３０が、カム筒１２３のカム溝１２３ａに嵌め込まれ、カム溝１２３ａに沿って転動可能となっている。
【００２０】
更に、保持枠１２６の１つのねじ孔１２６ａに隣接して、袋孔１２６ｂが設けられており、袋孔１２６ｂ内にはコイルバネＣＳ及びボールＢＬが配置され、コイルバネＣＳの付勢力によりボールＢＬを半径方向外方に向かって付勢している。円形開口１２３ｃの位置は、相対回動するボールＢＬの位置に対応している。
【００２１】
又、保持枠１２７の外周に形成された３つ（１つのみ図示）のねじ孔１２７ａに、フランジ付きの円筒軸１２９ａを持つねじ１２９の端部がねじ込まれており、円筒軸１２９ａに回転可能に嵌合したローラー１３１が、カム筒１２３のカム溝１２３ｂに嵌め込まれ、カム溝１２３ｂに沿って転動可能となっている。
【００２２】
主固定筒１２１は、大円筒部１２１ａと小円筒部１２１ｂとを直接に連結した形状を有する。ここで主固定筒１２１は、アセトン耐性を有しない樹脂材料を、金型を用いて射出成形することで形成されている。「アセトン耐性を有しない材料」とは、アセトンに浸したときに溶解が生じる材料をいい、例えばＰＣ，ＡＢＳなどがある。
【００２３】
プリズム保持筒１２２に端部を連結した大円筒部１２１ａの内側には、軸線方向に延在する直進溝１２１ｃが形成されており、ここにねじ１２８，１２９の頭部及びローラー１３０，１３１が相対移動可能に係合している。これにより、保持枠１２６，１２７は直進溝１２１ｃに沿ってのみ変位可能（すなわち回動不能）となる。
【００２４】
大円筒部１２１ａの内側にカム筒１２３が相対回転可能に配置されており、大円筒部１２１ａの外側に操作環１２４が相対回転可能に配置されている。操作環１２４の中央には、不図示の開口が形成されており、この開口に挿通された段付きねじ（不図示）が、大円筒部１２１ａに形成された周方向溝１２１ｄを貫通して、カム筒１２３の外周に螺合すると同時に太軸部を当接させている。これにより操作環１２４とカム筒１２３は、所定間隔を維持しつつ一体的に回転するようになっている。但し、カム筒１２３の端部において半径方向外方に向いた環状部１２３ｄが、大円筒部１２１ａの端部に形成された環状凹部１２１ｅと、プリズム保持筒１２２の端部間に形成された環状空間に収容されることで、カム筒１２３及び操作環１２４は、主固定筒１２１に対して光軸方向に変位不能となっている。大円筒部１２１ａ及び操作環１２４の端部外周は、回転筒１１０の大円筒部１１０ａの端部により包囲されている。
【００２５】
尚、回転筒１１０と大円筒部１２１ａとの間、並びに大円筒部１２１ａと操作環１２４の両端同士の間には、Ｏ−リングＯＲが配置され、これらの間を防塵・防水可能に密封している。図示していないが、操作環１２４の外周には、操作時の滑り止めとして周期的凹凸形状の平目ローレットが形成されている。
【００２６】
主固定筒１２１の小円筒部１２１ｂ内には、第５レンズ群Ｇ５を構成するレンズＬ６，Ｌ７が間隔環１３２を挟んで固定され、レンズＬ８が環状の固定部材１３３を介して固定されている。又、小円筒部１２１ｂ内には、第５レンズ群Ｇ５に隣接して接眼レンズＯＣが、環状の固定部材１３４により固定されている。尚、小円筒部１２１ｂと接眼レンズＯＣとの間にはＯ−リングＯＲが配置され、防塵・防水可能に密封している。
【００２７】
本実施の形態のルーペユニットの動作を説明すると、ユーザーが眼鏡型保持具ＧＬを頭部に装着することで、ルーペ１００内のレンズ群Ｇ１〜Ｇ５を介して被写体（対象物）を拡大して観察できる。一方、ユーザーが被写体の倍率を変えたいときは、操作環１２４を回転させることで、カム筒１２３が回転する。これにより、ねじ１２８，１２９はカム溝１２３ａ、１２３ｂより同方向に回転するトルクを受けるが、それぞれ直進溝１２１ｃに回転を阻止されているので、カム溝１２３ｂ、１２３ｃに沿って相対移動しながら、保持枠１２６を光軸方向一方向に変位させ、且つ保持枠１２７を光軸方向他方向に変位させることとなり、これにより第３レンズ群Ｇ３と第４レンズ群Ｇ４との間隔を変化させて倍率変更を行うことができる。このとき、ボールＢＬが、カム筒１２３の円形開口１２３ｃのいずれかに係合する度に、操作環１２４を操作するユーザーの指に抵抗が付与され、いわゆるクリック感を与えることで、倍率変化の度合いを感覚的に認識できる。
【００２８】
次に、ルーペ１００を眼鏡型保持具ＧＬに接着する工程について説明する。図３は、主固定筒１２１に、所定の塗料を塗布する工程を示す図である。図４は、ルーペ１００の主固定筒１２１を眼鏡型保持具ＧＬの孔ＬＳａに挿入する状態を示す斜視図である。図５は、眼鏡型保持具ＧＬの孔ＬＳａに挿入した主固定筒１２１にＵＶ接着剤ＢＤを塗布する工程を示す断面図であり、図６は、図５の矢印VIで示す部位を拡大して示す図である。図７は、眼鏡型保持具ＧＬの孔ＬＳａに挿入した主固定筒１２１に塗布したＵＶ接着剤ＢＤを固化する工程を示す断面図である。
【００２９】
まず、ＰＣ又はＡＢＳを材料として，不図示の金型により射出成形を行い、主固定筒１２１を形成する。成形後の主固定筒１２１に対して、図３に示すように円盤ＤＣを端部に取り付けると共に、円筒状の保持部ＨＬＤにより大円筒部１２１ａ側の外周を保持する。円盤ＤＣと保持部ＨＬＤは、塗料付与時のマスキング効果を有する。これにより主固定筒１２１における小円筒部１２１ｂの外側の接眼側外周面１２１ｆのみが、塗料のノズルＮＺが配置された外部空間に対して露出することとなる。更に、保持部ＨＬＤは、主固定筒１２１を保持したまま、軸線ＡＸ回りに回転可能となっている。
【００３０】
次に、接眼側外周面１２１ｆに対向して配置したノズルＮＺより、二液型アクリルウレタン塗料をスプレー状に吐出しながら、保持部ＨＬＤにより保持した主固定筒１２１を軸線ＡＸ回りに回転させる。これにより、接眼側外周面１２１ｆのみに、二液型アクリルウレタン塗料が均一な膜厚で成膜される。
【００３１】
二液型アクリルウレタン塗料とは、酢酸ビニル共重合体の溶解度パラメーターに近い樹脂であれば使用可能であり、具体的にはポリエステルポリオール、ポリエーテルポリオールまたはアクリルポリオールとイソシアネート硬化剤とのウレタン架橋タイプのものが挙げられる。アクリルポリオールとイソシアネート硬化剤とのウレタン架橋タイプのものが好ましい。イソシアネート硬化剤としては、ＴＤＩ、ＸＤＩ、ＭＤＩ、ＩＰＤＩ、ＨＭＤＩ等の当業者に周知なものが採用できる。具体的な二液型アクリルウレタン塗料としては、武蔵塗料ホールディングス株式会社の商品名「ハイウレックスP」などが挙げられる。
【００３２】
その後、円盤ＤＣと保持部ＨＬＤとを取り外すことなく、主固定筒１２１を、所定時間、所定環境温度に保持した後、二液型アクリルウレタン塗料を乾燥させる。二液型アクリルウレタン塗料が固化した後、所定時間、所定環境温度の予熱をかけ図３の接眼側外周面１２１ｆに対向して配置した別のノズルＮＺより、耐性塗料をスプレー状に吐出しながら、保持部ＨＬＤにより保持した主固定筒１２１を軸線ＡＸ回りに回転させる。これにより、接眼側外周面１２１ｆのみに、耐性塗料が均一な膜厚で成膜される。
【００３３】
ここで、耐性塗料とは、固化した後、アセトン耐性を有するものである。「アセトン耐性を有する」材料とは、アセトンに浸したときに溶解が生じにくい材料または溶解が生じない材料をいう。「アセトンに浸したときに溶解が生じにくい材料」とは、同じ条件でアセトンに浸したときに、鏡筒の素材としての例えばＰＣ又はＡＢＳなどと比較して、溶解量が少ないものをいい、フェノール樹脂やフッ素樹脂の塗料等があるが、例えば紫外線照射により硬化するＵＶ塗料であっても、アセトンに対して溶解しにくい種類のものは使用できる。ここでは、耐性塗料としてアセトン耐性のあるＵＶ塗料を用いるものとする。
【００３４】
ＵＶ塗料としては、不飽和ポリエステル樹脂をスチレンに溶解し、これに光重合開始剤を加えた不飽和ポリエステル樹脂系ＵＶ塗料や、アクリル酸オリゴマーとアクリル酸プレポリマーの混合物に光重合開始剤を加えたアクリル型ＵＶ塗料等を挙げることができる。ＵＶ塗料による塗膜に紫外線が照射されると、光重合開始剤が紫外線を吸収し、そのエネルギーでラジカルに変化する。この変化したラジカルは、例えば、アクリル酸オリゴマーとアクリル酸プレポリマーに働きかけて、いわゆるラジカル重合反応を起こし、液状の塗料が固形の塗膜となる。具体的なアセトン耐性のあるＵＶ塗料としては、武蔵塗料ホールディングス株式会社の商品名「ウルトラバイン」などが挙げられる。
【００３５】
ＵＶ塗料を塗布した後、主固定筒１２１の接眼側外周面１２１ｆに、所定時間、紫外線を照射して、ＵＶ塗料を固化させる。以上により、図６に示すように、接眼側外周面１２１ｆの外周に二液型アクリルウレタン塗料の層ＬＹ１が形成され、更にその外周にＵＶ塗料の層ＬＹ２が形成される。二液型アクリルウレタン塗料の層ＬＹ２は、ＵＶ塗料の層ＬＹ１の密着度を上げる効果がある。又、主固定筒１２１の表面にＵＶ塗料の層ＬＹ２だけを成膜した場合、光沢が強すぎて高級感を損なう恐れがあるが、その間に二液型アクリルウレタン塗料の層ＬＹ１を設けることで、つや消しの効果があり、高級感を高めることができる。但し、接眼側外周面１２１ｆの外周に，耐性塗料を直接塗布しても良い。又、主固定筒１２１の外周面全体に、耐性塗料を塗布しても良い。
【００３６】
このようにして形成した主固定筒１２１を，その他の部品と共に組み立ててルーペ１００を製作する。製作されたルーペ１００を、図４に示すように眼鏡型保持具ＧＬに組み付ける。
【００３７】
具体的には、図５に示すように、ルーペ１００の主固定筒１２１を、眼鏡型保持具ＧＬの透明板ＬＳの孔ＬＳａに挿入した後、左右の視野を合わせるべく、ルーペ１００の光軸を透明板ＬＳに対して所定角度傾けた状態に保持し、ディスペンサーＤＰからＵＶ接着剤ＢＤを、主固定筒１２１の接眼側外周面１２１ｆと孔ＬＳａとの間に全周に渡って塗布する。
【００３８】
ここで、ＵＶ接着剤ＢＤとは、紫外線照射装置から照射される紫外線のエネルギーにより、短時間に重合硬化する樹脂を用いた接着剤であり、具体的なＵＶ接着剤としては、Henkel社の商品名「ロックタイト」などが挙げられる。
【００３９】
ＵＶ接着剤ＢＤを塗布した後、図７に示すように、光源ＯＳから、主固定筒１２１の接眼側外周面１２１ｆに所定時間、紫外線を照射して、ＵＶ接着剤ＢＤを固化させる。以上により、図６に示すように、接眼側外周面１２１ｆの外周と孔ＬＳａとが強固に接着されるので、ユーザーが眼鏡型保持具ＧＬを装着したときにルーペ１００が脱落することが抑制される。
【００４０】
ここで、一度透明板ＬＳにルーペ１００を取り付けた後、ユーザーの目の位置に合わないなど不具合が生じた場合は透明板ＬＳからルーペ１００を強制的に引き剥がし、再度透明板ＬＳに対するルーペ１００の角度を調整し直す。しかし、ルーペ１００を眼鏡型保持具ＧＬから分離させた場合、ＵＶ接着剤ＢＤがルーペ１００の接眼側外周面１２１ｆに付着したままとなることが多い。これが残存するとルーペ１００の再接着が困難となり、また外側に接着剤が付着することで外観品質が低下するため、アセトンで接眼側外周面１２１ｆに付着したＵＶ接着剤ＢＤを拭き取って除去する。その後、透明板ＬＳを交換し、左右の視野が合うように調整を行ってから、再度ＵＶ接着剤ＢＤを用いて、ルーペ１００を眼鏡型保持具ＧＬに組み付けることとなる。
【００４１】
本実施の形態によれば、図６に示すように、接眼側外周面１２１ｆの外周に二液型アクリルウレタン塗料の層ＬＹ１が形成され、更にその外周にＵＶ塗料の層ＬＹ２が形成されているので、アセトン耐性がない材料から主固定筒１２１が形成されていた場合でも、ＵＶ接着剤ＢＤを除去する際に用いたアセトンで主固定筒１２１を損傷する恐れがない。
【００４２】
本発明は、明細書に記載の実施例に限定されるものではなく、他の実施例・変形例を含むことは、本明細書に記載された実施例や思想から本分野の当業者にとって明らかである。明細書の記載及び実施例は、あくまでも例証を目的としており、本発明の範囲は請求項によって示されている。例えば、眼鏡型保持具に孔を設ける代わりに切欠を設けて、ここにルーペ１００を接着するようにしても良い。
【産業上の利用可能性】
【００４３】
以上のように、本発明のルーペ及びルーペユニットは、ユーザーが対象を視認する用途に適用できる。
【符号の説明】
【００４４】
１００            ルーペ
１１０            回転筒
１１０ａ          大円筒部
１１０ｂ          小円筒部
１１０ｃ          テーパー部
１１１            固定部材
１２０            固定ユニット
１２１            主固定筒
１２１ａ          大円筒部
１２１ｂ          小円筒部
１２１ｃ          直進溝
１２１ｄ          周方向溝
１２１ｅ          環状凹部
１２１ｆ          接眼側外周面
１２２            プリズム保持筒
１２２ａ          螺旋溝
１２３            カム筒
１２３ａ          カム溝
１２３ｂ          カム溝
１２３ｃ          円形開口
１２３ｄ          環状部
１２４            操作環
１２５            保持枠
１２６            保持枠
１２６ａ          孔
１２６ｂ          袋孔
１２７            保持枠
１２７ａ          孔
１２８            ねじ
１２８ａ          円筒軸
１２９            ねじ
１２９ａ          円筒軸
１３０，１３１        ローラー
１３２            間隔環
１３３            固定部材
１３４            固定部材
ＡＸ            軸線
ＢＤ            接着剤
ＢＬ            ボール
ＢＴ            ボルト
ＣＳ            コイルバネ
ＤＣ            円盤
ＤＰ            ディスペンサー
Ｇ１−Ｇ５        レンズ群
ＧＬ            眼鏡型保持具
ＨＬＤ            保持部
Ｌ１−Ｌ８        レンズ
ＬＳ            透明板
ＬＳａ            孔
ＬＹ１            塗料の層
ＬＹ２            塗料の層
ＮＺ            ノズル
ＯＣ            接眼レンズ
ＯＲ            Ｏ−リング
ＯＳ            光源
ＰＲ            プリズム
【図１】
2018066400.tif 000003
【図２】
2018066400.tif 000004
【図３】
2018066400.tif 000005
【図４】
2018066400.tif 000006
【図５】
2018066400.tif 000007
【図６】
2018066400.tif 000008
【図７】
2018066400.tif 000009
【国際調査報告】
2018066400.tif 000010
2018066400.tif 000011
2018066400.tif 000012
2018066400.tif 000013